(57)【要約】【課題】省エネ時においてはＤＳＰ３１を介さずにリンギングや極性反転を監視できるようにしたモデム装置を提供すること。【解決手段】送受信するデータを変復調するＤＳＰ３１と、該ＤＳＰ３１と接続されて、回線網網の制御を行う２次側回路３５と、該２次側回路３５と接続されて、ＤＳＰ３１への電力供給が停止又は抑制されている際に、当該２次側回路３５からの信号に基づきリンギングや極性反転を検出して専用ライン２４を介して出力するリング・極性反転検出回路３３とを設ける。これにより、ＤＳＰ３１への電力供給が停止又は抑制されているときであってもリンギングや極性反転が検出できるようにする。【選択図】　　　　図１
2004112681.tif 000002
【特許請求の範囲】
【請求項１】
回線網と接続された１次側回路と該１次側回路に絶縁回路を介して接続された２次側回路とからなり、前記回線網を制御すると共にデータの送受信を行う半導体ＤＡＡの前記２次側回路に接続されて送受信するデータの変復調を行うＤＳＰを備え、通信装置本体とシステムバスにより接続されて使用されるモデム装置において、
前記ＤＳＰへの電力供給が停止又は抑制されている際に、前記２次側回路からの信号に基づきリンギングや極性反転を検出して、その検出結果を出力する前記リング・極性反転検出回路を設けたことを特徴とするモデム装置。
【請求項２】
前記リング・極性反転検出回路が、前記２次側回路からの信号に基づきリンギングや極性反転を検出してその検出結果を出力する際には、前記システムバスと独立に設けられた専用ラインを介して出力することを特徴とする請求項１記載のモデム装置。
【請求項３】
前記リング・極性反転検出回路が、前記２次側回路からの信号に基づき当該信号の半周期に相当するパルス幅を持つ半周期パルス信号を生成して出力する周期信号生成部と、
前記半周期パルス信号の周期を検出して、これを検出周期として出力する周期検出部と、
予めリンギング信号の半周期が基準周期として格納されて、該基準周期と前記検出周期とを比較し、これらが一致する場合には前記２次側回路からの信号がリンギング信号であると判断し、前記検出周期が前記基準周期より長い場合には極性反転信号であると判断する周期比較部とを有することを特徴とする請求項１又は２記載のモデム装置。
【請求項４】
前記リング・極性反転検出回路が、前記２次側回路からの信号に基づき当該信号の半周期に相当するパルス幅を持つ半周期パルス信号を生成して出力する周期信号生成部と、
前記半周期パルス信号の半周期を検出を行い、当該半周期の検出ができた場合には、これを検出周期として出力し、前記半周期の検出ができなかった場合には、前記２次側回路からの信号が極性反転信号であるとして、その旨を示す信号を極性反転検出信号として出力する周期検出部と、
予めリンギング信号の半周期が基準周期として格納されて、前記周期検出部からの前記検出周期と該基準周期とを比較して、これらが一致する場合には前記２次側回路からの信号がリンギング信号であると判断し、一致しない場合には前記２次側回路からの信号がノイズであると判断する周期比較部とを有することを特徴とする請求項１又は２記載のモデム装置。
【請求項５】
前記周期信号生成部が、前記２次側回路からの信号に基づき当該信号の半周期に相当するパルス幅を持つ半周期パルス信号を生成して出力する際に、前記２次側回路からの信号の絶対値が予め設定された閾値より大きくなった場合に立上がり、次に大きくなった場合に立ち下がるようにして前記半周期パルス信号を生成すると共に、前記閾値を変更可能に設けたことを特徴とする請求項２又は４記載のモデム装置。
【請求項６】
前記リング・極性反転検出回路が、前記２次側回路からの信号が所定時間に渡り連続する連続信号であるか単発の単発信号であるかを検出し、連続信号の場合には前記２次側回路からの信号がリンギング信号であると判断し、単発信号の場合には前記２次側回路からの信号が極性反転信号であると判断することを特徴とする請求項１又は２記載のモデム装置。
【請求項７】
前記ＤＳＰが前記通信装置本体と前記システムバスを介して通信できるようにするＤＳＰ側インターフェースと、
前記リング・極性反転検出回路が前記通信装置本体と前記専用ラインを介して通信できるようにするリング・極性反転検出回路側インターフェースとを有することを特徴とする請求項２乃至６いずれか１項記載のモデム装置。
【請求項８】
前記ＤＳＰ及び前記リング・極性反転検出回路が前記通信装置本体と通信できるようにするモデム側インターフェースと、
前記ＤＳＰに適正な電力が供給されている場合には、当該ＤＳＰが前記モデム側インターフェースを介して前記通信装置本体と通信できるように該ＤＳＰと前記モデム側インターフェースとを接続し、前記ＤＳＰへの電力供給が停止又は抑制されている場合には、前記リング・極性反転検出回路が前記モデム側インターフェースを介して前記通信装置本体と通信できるように当該リング・極性反転検出回路とモデム側インターフェースとを接続する信号切替器とを有することを特徴とする請求項１乃至６いずれか１項記載のモデム装置。
【請求項９】
回線網と接続された１次側回路と該１次側回路に絶縁回路を介して接続された２次側回路とからなり、前記回線網を制御すると共にデータの送受信を行う半導体ＤＡＡと、前記２次側回路と接続されて送受信するデータの変復調を行うＤＳＰを備えたモデム装置と、該ＤＳＰとシステムバスにより接続されて前記半導体ＤＡＡ及びモデム装置を制御して通信を行うシステム制御部とを備え、所定の省エネ移行要件が満たされると通常状態から省エネ状態に移行し、所定の復帰要件が満たされると省エネ状態から通常状態に移行する省エネ機能を備えた通信装置において、
前記モデム装置が、省エネ状態では前記ＤＳＰへの電力供給が停止又は抑制され、この省エネ状態の間に前記２次側回路からの信号に基づきリンギングや極性反転を検出すると、専用ラインを介して出力するリング・極性反転検出回路を備えることを特徴とする通信装置。
【請求項１０】
前記リング・極性反転検出回路が、前記２次側回路からの信号に基づき当該信号の半周期に相当するパルス幅を持つ半周期パルス信号を生成して出力する周期信号生成部と、
前記半周期パルス信号の周期を検出して検出周期として出力する周期検出部と、
予めリンギング信号の半周期が基準周期として格納されて、該基準周期と前記検出周期とを比較し、これらが一致する場合には前記２次側回路からの信号がリンギング信号であると判断し、前記検出信号が前記基準周期より長い場合には極性反転信号であると判断する周期比較部とを有することを特徴とする請求項９記載の通信装置。
【請求項１１】
前記リング・極性反転検出回路が、前記２次側回路からの信号に基づき当該信号の半周期に相当するパルス幅を持つ半周期パルス信号を生成して出力する周期信号生成部と、
前記半周期パルス信号の半周期を検出を行い、当該半周期の検出ができた場合には、これを検出周期として出力し、前記半周期の検出ができなかった場合には、前記２次側回路からの信号が極性反転信号であるとして、その旨を示す信号を極性反転検出信号として出力する周期検出部と、
予めリンギング信号の半周期が基準周期として格納されて、前記周期検出部からの前記検出周期と該基準周期とを比較して、これらが一致する場合には前記２次側回路からの信号がリンギング信号であると判断し、一致しない場合には前記２次側回路からの信号がノイズであると判断する周期比較部とを有することを特徴とする請求項９記載の通信装置。
【請求項１２】
前記周期信号生成部が、前記２次側回路からの信号に基づき当該信号の半周期に相当するパルス幅を持つ半周期パルス信号を生成して出力する際に、前記２次側回路からの信号の絶対値が予め設定された閾値より大きくなった場合に立上がり、次に大きくなった場合に立ち下がるようにして前記半周期パルス信号を生成すると共に、前記閾値を変更可能に設けたことを特徴とする請求項１０又は１１記載の通信装置。
【請求項１３】
前記リング・極性反転検出回路が、前記２次側回路からの信号が所定時間に渡り連続する連続信号であるか単発の単発信号であるかを検出し、連続信号の場合には前記２次側回路からの信号がリンギング信号であると判断し、単発信号の場合には前記２次側回路からの信号が極性反転信号であると判断することを特徴とする請求項９記載の通信装置。
【請求項１４】
前記ＤＳＰへの電力供給を抑制して省エネ状態に移行させる際には、当該ＤＳＰの動作周波数を下げるように制御することを特徴とする請求項９乃至１３いずれか１項記載の通信装置。
【請求項１５】
前記システム制御部がリンギング信号又は極性反転信号を検出したことを示す信号を前記リング・極性反転検出回路から入力すると、前記モデム装置を省エネ状態から通常状態に復帰するように制御することを特徴とする請求項９乃至１４いずれか１項記載の通信装置。
【発明の詳細な説明】
【０００１】
【発明の属する技術分野】
本発明は、回線網と接続される１次側回路と、この１次側回路に絶縁回路を介して接続された２次側回路とから構成される半導体ＤＡＡ（Ｄａｔａ　Ａｃｃｅｓｓ　Ａｒｒａｎｇｅｍｅｎｔ）における、上記２次側回路にデータを変復調するＤＳＰ（Ｄｉｇｉｔａｌ　Ｓｉｇｎａｌ　Ｐｒｏｃｅｓｓｏｒ）が接続された場合に、該ＤＳＰが省エネ状態の時でも回線網からのリンギングや極性反転を当該ＤＳＰを介さずに検出できるようにしたモデム装置及びそれを用いた通信装置に関する。
【０００２】
【従来の技術】
近年、インターネット、デジタル携帯電話等の普及するに伴い、携帯端末、小型端末等の通信装置の小型化が進んでいる。
【０００３】
しかし、公衆の回線網に接続するモデム内蔵の通信装置では、回線網との接続に直流絶縁の目的で、比較的大きな形状のトランスが必要とされ、このトランスが通信装置の小型化を阻害する要因となっている。
【０００４】
ところが、近年の半導体プロセス技術の進歩やアイソレーション技術の進歩に伴い、網制御等を行う半導体ＤＡＡが開発されて、ランスの機能を極めて小型なパルストランスやコンデンサ、フォトカプラ等により置換えることが可能になってきている（特許文献１参照）。
【０００５】
このような半導体により形成された機能素子により、通信装置等の小型化や低コスト化が期待され、例えばファクシミリ装置のように携帯端末ではない通信装置への採用も模索されている。
【０００６】
このような通信装置においては、回線網を制御するための網制御機能や回線網を介して送受信する信号の変復調を行う変復調機能等が必要になる。
【０００７】
網制御機能は、上述したように半導体ＤＡＡにより半導体化され、また変復調機能は所謂モデムと称され、今日では半導体プロセスにより形成されたＤＳＰが主要部品として用いられて高速処理が行えるようになっている。
【０００８】
従って、通信に必要な最小限の機能である網制御機能及び変復調機能が共に半導体化されて供給されるようになっている。
【０００９】
【特許文献１】
特開平０６−０９８０３８号公報
【００１０】
【発明が解決しようとする課題】
しかしながら、通信装置では、環境に対する配慮等の観点から消費電力の低減が強く求められ、これに答えるべく省エネ機能が略標準装備されるようになってきているが、網制御機能を担う半導体ＤＡＡと変復調機能を担うモデム装置のＤＳＰとは直接接続されるため、省エネ状態においてもＤＳＰに通常状態と同様の電力を供給しなければリンギングや極性反転を検出することができない問題があった。
【００１１】
即ち、モデム装置は上述したようにデータの変復調を行うが、扱うデータの多量化等の観点から変復調処理を高速に行う必要がある。このため、変復調を担う機能を半導体化したＤＳＰが用いられると共に、その動作周波数が高くなっている。動作周波数が高くなると、これに伴い消費電力が大きくなる。
【００１２】
一方、省エネ状態では、受信に必要な最低限の機器への電力供給を停止又は抑制して消費電力の削減を図っているが、ＤＳＰが半導体ＤＡＡに接続されて、該半導体ＤＡＡにより検出されたリンギングや極性反転がＤＳＰを介して通信装置本体側に知らせる構成のため、省エネ状態においてもＤＳＰへの電力供給は通常状態と同じように供給しなければならない。
【００１３】
従って、半導体ＤＡＡを用いたために省エネ時でもＤＳＰに通常時と同じ電力を供給する状態では、半導体ＤＡＡを用いないでＤＳＰを省エネ状態にする場合に比べて電力消費が多くなってしまう。
【００１４】
そこで、本発明は、省エネ時においてはＤＳＰを介さずにリンギングや極性反転が検出できるようにして省エネ効果を高めることができるようにしたモデム装置及びそれを用いた通信装置を提供することを目的とする。
【００１５】
【課題を解決するための手段】
上記課題を解決するため、モデム装置にかかる発明は、モデム装置のＤＳＰへの電力供給が停止又は抑制されている際に、半導体ＤＡＡの２次側回路からの信号に基づきリンギングや極性反転を検出して、その検出結果を出力するリング・極性反転検出回路を設けて、省エネ時においてはＤＳＰを介さずにリンギングや極性反転が検出できるようにして省エネ効果を高めたことを特徴とする。
【００１６】
また、通信装置にかかる発明は、省エネ状態ではモデム装置のＤＳＰへの電力供給が停止又は抑制され、この省エネ状態の間に２次側回路からの信号に基づきリンギングや極性反転を検出すると、専用ラインを介してシステム制御部に出力するリング・極性反転検出回路を設けて、省エネ時においてはＤＳＰを介さずにリンギングや極性反転が検出できるようにして省エネ効果を高めたことを特徴とする。
【００１７】
【発明の実施の形態】
本発明の実施の形態を図を参照して説明する。図１は、本発明に係るモデム装置を用いた通信装置の概略構成を示したブロック図である。なお、このような通信装置としては、ファクシミリ装置、パーソナルコンピュータ、携帯端末等が例示でき、本実施の形態においてはファクシミリ装置を例に説明する。
【００１８】
当該ファクシミリ装置は、システム制御部１１を有し、このシステム制御部１１にシステムバス１２が接続され、当該システムバス１２にプログラムＲＯＭ１３、データＲＡＭ１４、操作表示部１５、読取部１６、記録部１７、時計部１８が接続されると共にＤＳＰ側インターフェース３２を介してモデム装置の主要構成であるＤＳＰ３１が接続されている。
【００１９】
また、ＤＳＰ３１は、半導体ＤＡＡの２次側回路３５が接続され、当該２次側回路は絶縁回路２１を介して１次側回路２２と接続され、この１次側回路２２はラインフィルタ用コンデンサ回路２３を介して回線網に接続されている。
【００２０】
ラインフィルタ用コンデンサ回路２３は、１次側回路２２が接続されるＴｉｐ（Ｌ１）とＲｉｎｇ（Ｌ２）とに接続されたコンデンサからなり、ＩＥＣ６０９５０、ＵＬ１９５０規格に対応して安全規格上から設けられている。
【００２１】
なお、本実施の形態に係るモデム装置２０は、ＤＳＰ３１、ＤＳＰ側インターフェース３２、リング・極性反転検出回路３３、リング・極性反転検出回路側インターフェース３４、２次側回路３５等により構成されている。
【００２２】
そして、１次側回路２２は局給電により動作して、２次側回路３５とデータの受け渡しを行うことによって着呼検出、回線網へ発呼処理等の網制御や送受信データの送受信を行い、半導体プロセスによるＤＡＡにより形成されている。
【００２３】
なお、絶縁回路２１は、パルストランス、コンデンサ、フォトカプラ等から構成されて回線網と２次側回路３５とを直流的に絶縁した状態で接続している。
【００２４】
システム制御部１１は、プログラムＲＯＭ１３に格納された制御プログラムにしたがってデータＲＡＭ１４を作業領域として使用しながら、各構成要素を制御している。
【００２５】
システム制御部１１は、省エネ時には電力供給が抑制される等の省エネ状態となり、このときリンギングや極性反転等が検出されると、当該システム制御部１１を含め、省エネ時に省エネ状態となっている機器を通常状態に復帰させるように制御できるようになっている。
【００２６】
ところで、省エネ状態とは、リンギング等の受信待機中に必要となる機器以外の機器の動作が停止し又は抑制された状態で、システム制御部１１、記録部１７、読取部１６、操作表示部１５、ＤＳＰ３１、システムバス１２、２次側回路３５等がかかる省エネ状態になり、その時には該当する機器への電力供給が停止又は抑制される。
【００２７】
電力供給の抑制方法として、例えば電流を制限したり動作周波数を下げたりすることが可能であり、動作周波数を変える場合には時計部１８におけるクロック回路からの周波数を下げることにより行なわれる。
【００２８】
データＲＡＭ１４は、読取部１６で読取った画情報をメモリ送信するために一時的にファイルとして蓄積する図示しない圧縮データメモリー用のＳＡＦメモリ、受信した画情報を記録部１７により記録するまでファイルとして一時的に蓄積してデータを記録する際に生データを展開する図示しないバッファ用のページメモリ等を備えて、図示しないバックアップ用回路によりバックアップされて装置電源遮断時にも記憶内容が保持されるようになっている。
【００２９】
操作表示部１５は、宛先電話番号を指定するためのテンキー、スタートキー、ワンタッチダイヤルキー及びその他各種キーを備え、また液晶表示装置等の表示器を備えて、ユーザに知らせるべき装置の動作状態や各種メッセージを表示する。
【００３０】
読取部１６は、３．８５本／ｍｍ、７．７本／ｍｍ、１５．４本／ｍｍ等の所定の読取線密度で原稿画像を読取って画情報を得るためのもので、読取った画情報は一旦ラインバッファに逐次蓄積されて必要とされる機器に転送されるようになっている。
【００３１】
記録部１７は、受信した画情報をその線密度に応じて記録出力したり、読取部１６で読取った画情報をその線密度に応じて記録出力（コピー動作）するためのものであり、また管理リポートの出力にも用いられる。
【００３２】
時計部１８は、所定のクロック信号を発生するクロック回路を備え、現在時刻の計時を行う一方、システム制御部１１から設定された時定数をカウントダウンしてタイムアウトするとシステム制御部１１にタイムアウトしたことを通知する、タイマ動作を行うものである。
【００３３】
ＤＳＰ３１は、送受信するデータを高速で変復調するものであり、ＤＳＰ側インターフェース３２は、通常動作時にＤＳＰ３１とシステムバス１２とのインタフェースをなすもので、ＤＳＰ３１及びＤＳＰ側インターフェース３２は、省エネ時には消費電力が抑制されるように電力供給を停止又は抑制されるようになっている。
【００３４】
リング・極性反転検出回路３３は、省エネ時にも通常動作して省エネ復帰要因であるリンギングや極性反転を検出するものであり、リング・極性反転検出回路側インターフェース３４は、省エネ時にリング・極性反転検出回路３３からの信号を専用ライン２４を介してシステム制御部１１に出力する際のインターフェースをなすものである。
【００３５】
なお、通常時におけるリンギングや極性反転の検出は２次側回路３５で行われ、その検出結果はＤＳＰ３１からシステムバス１２を介してシステム制御部１１に送られる。
【００３６】
従って、リング・極性反転検出回路３３及びリング・極性反転検出回路側インターフェース３４を通常時にも正常動作するようにすると、システム制御部１１にはリング・極性反転検出回路側インターフェース３４からの信号とＤＳＰ側インターフェース３２からの信号とが競合して入力する事態が生じる。
【００３７】
このような場合には、システム制御部１１においてＤＳＰ側インターフェース３２からの信号のみを取込むように制御することが好ましい。
【００３８】
無論、通常状態においてはリング・極性反転検出回路３３及びリング・極性反転検出回路側インターフェース３４の動作を停止するようにしても良い。このようにすることにより、システム制御部１１での制御負担が少なくなる利点がある。
【００３９】
２次側回路３５は、リンギングや極性反転等の検出結果や送受信データをＤＳＰ３１と１次側回路２２に送受信できるようにするもので、省エネ状態においては動作周波数が下がった状態となる。
【００４０】
リング・極性反転検出回路３３は、図２に示すように、周期信号生成部４１、周期検出部４２、周期比較部４３により構成されている。
【００４１】
そして、２次側回路３５は、図３（ａ）に示す様なリンギング信号が入力すると、図３（ｂ）、図３（ｃ）に示すＡ信号、Ｂ信号を周期信号生成部４１に出力し、また図４（ａ）に示す様な極性反転信号が入力すると、図４（ｂ）、図４（ｃ）に示すＡ信号、Ｂ信号を周期信号生成部４１に出力する。
【００４２】
Ａ信号は、入力した信号が予め設定されたプラスの閾値Ｖｔ以上のレベルになったときに出力される１パルスのパルス信号であり、Ｂ信号は、入力した信号が予め設定されたマイナスの閾値Ｖｔ以下のレベルになったときに出力される１パルスのパルス信号である。
【００４３】
このようなＡ信号、Ｂ信号が入力すると、周期信号生成部４１は、これらを合成したＡ＋Ｂ信号を生成し（図３（ｄ）、図４（ｄ））、このＡ＋Ｂ信号が立上がるときに立上がり、次にＡ＋Ｂ信号が立上がるときに立下がるような半周期パルス信号を生成する（図３（ｅ）、図４（ｅ））。
【００４４】
即ち、２次側回路３５からの信号の絶対値が予め設定された閾値Ｖｔより大きくなった場合に立上がり、次に大きくなった場合に立ち下がる信号を半周期パルス信号として生成する。
【００４５】
リンギング信号は、予め規定された周期を持つ周期信号であるため、Ａ信号、Ｂ信号は周期性を持つパルス信号となり、これに伴い半周期パルス信号も周期性を持つパルス信号となる。
【００４６】
一方、極性反転信号は、極性反転したときにラインフィルタ用コンデンサ回路２３が放電することにより入力する１パルスの信号で、Ａ信号は１パルスの信号となり、Ｂ信号はロウレベルのままの信号となって、半周期パルス信号はＡ信号と同時に立上がり、その後に通信が終了して極性反転が戻ったときに立ち下がるようになる。
【００４７】
そして、このような半周期パルス信号は、周期検出部４２に送られ、ここで周期が検出される。
【００４８】
このとき、二次側ＤＡＡにリンギング信号が入力すると、周期検出部４２に入力する半周期パルス信号は図３（ｅ）のような周期性を持つパルス信号であるので、その周期を検出することが出きるが、極性反転信号が入力すると半周期パルス信号は図４（ｅ）のようなハイレベルになったまま信号であるので周期を検出することができない。
【００４９】
周期を検出することができない場合には、極性反転信号と判断して、図２に示すラインＡを介して直接リング・極性反転検出回路側インターフェース３４にその旨を示す信号を出力する。
【００５０】
一方、周期が検出できた場合には、その周期を示す信号を検出周期として周期比較部４３に送る。当該周期比較部４３には、リンギング信号の周期（例えば、４０ｍｓｅｃ）が予め基準周期として格納されているので、この基準周期と検出周期とを比較する。
【００５１】
この結果、これらの周期が一致した場合には、回線網を介して入力した信号がリンギング信号であると判断して、リング・極性反転検出回路側インターフェース３４にその旨を示す信号を出力する。
【００５２】
ところで、回線ノイズや内部ノイズが２次側回路３５からリング・極性反転検出回路３３に入力することがある。このようなノイズは、一般に周期が短いので極性反転信号と混同することはないが、リンギング信号と混同することが危惧される。
【００５３】
そこで、周期比較部４３で基準周期と検出周期とを比較することにより、入力した信号がリンギング信号であるか否かを確認するようにしている。
【００５４】
以上により、省エネ時にＤＳＰ３１に電力供給を停止又は抑制するようにしても、リング・極性反転検出回路３３を介してリンギング信号及び極性反転信号を検出することが可能になる。
【００５５】
システム制御部１１は、このようなリンギング信号や極性反転信号を受信すると、省エネ状態から通常状態に復帰させるための制御を行って通常状態に復帰して着信動作等を行う。
【００５６】
なお、上述したように、本発明では、リンギング信号と極性反転信号とを、それぞれ検出できるようにしたが、通常の通信であれば、極性反転に先立ちリンギング信号が入力するので、リンギング信号のみを検出できれば、省エネ時においてＤＳＰ３１を省エネ状態にしても何らの不都合は発生しない。
【００５７】
しかし、加入者線回線網網の付加機能であるダイヤルイン機能やナンバーディスプレイを契約した加入者線回線網網の場合には、リンギング信号に先んじて極性反転が起きるため、リンギング信号のみを検出して省エネ復帰する構成にするとかかるサービスに対応できなくなる場合が生じる。
【００５８】
即ち、ダイヤルイン機能を契約した加入者線回線網網の場合には、最初の極性反転からリンギング信号が送出されるまでに最低２秒程度を要し、ナンバーディスプレイを契約した加入者線回線網網の場合には、最初の極性反転からリンギング信号に準ずる信号である情報受信端末起動信号が送出されるまでに最低約１秒程度を要する。
【００５９】
そして、極性反転から一次応答信号の到着である直流ループ閉結までの待ち時間が６秒までと規定されている。
【００６０】
このためリンギング信号のみを検出するようにしたのでは、規定時間内に加入者線交換機が一次応答信号を認識できない場合が生じて通信回線網の切断動作が行われ、通信動作を開始できなくなる場合が生じる。
【００６１】
本発明では、係る場合にも対応できるように、極性反転とリンギングとが独立に検出できるようにして、信頼性及び利便性を向上させている。
【００６２】
次に、本発明の第２の実施の形態を図を参照して説明する。なお、上述した実施の形態と同一構成に関しては同一符号を用いて説明を適宜省略する。
【００６３】
先の実施の形態では、極性反転信号が周期信号生成部４１に入力した場合には、半周期パルス信号は図４（ｅ）のようにハイレベルになったまま信号であるため、その周期を検出することができなかった。
【００６４】
このような場合には、周期信号生成部４１はリンギング信号の半周期より長いパルス幅をもつ信号を半周期パルス信号として出力するようにしてもよい。そして、この半周期パルス信号の検出周期と基準周期とを比較して、これらが一致する場合にはリンギング信号と判断し、検出周期が基準周期より長い場合には極性反転信号と判断するようにする。
【００６５】
このようにすることで、図２に示すラインＡを設ける必要が無くなり、コストダウンが可能になる。
【００６６】
次に、本発明の第３の実施の形態を図を参照して説明する。なお、上述した実施の形態と同一構成に関しては同一符号を用いて説明を適宜省略する。
【００６７】
これまで説明した各実施の形態においては、省エネ時にリンギング信号や極性反転信号を検出するために、これらの信号の半周期をパルス幅とする半周期パルス信号を生成した。
【００６８】
これに対し、本実施の形態では、リング・極性反転検出回路３３に入力するＡ信号の連続性からリンギング信号であるか極性反転であるかを判断できるようにしたものである。
【００６９】
即ち、図３（ａ）に示すようにリンギング信号は、一定時間に渡り周期変動する信号であるのでＡ信号は図３（ｂ）に示すように周期性のあるパルス信号となるが、極性反転信号は、１パルスの信号であることからＡ信号は１パルスの信号となる。
【００７０】
従って、Ａ信号が所定時間に渡り周期変動するパルス信号であるか否かにより、２次側回路３５からの信号がリンギング信号か極性反転信号かを判断することができる。
【００７１】
但し、リンギング信号は、図５に示すように、１秒間の周期信号が２秒間隔で送られる信号であり、回線ノイズや内部ノイズも存在も勘案すると、このＡ信号の連続性の判断時間としては略１秒にすることが好ましい。
【００７２】
なお、図３（ｂ）と図４（ｂ）とにおけるＡ信号や、図３（ｄ）と図４（ｄ）とにおけるＡ＋Ｂ信号を比較すると容易に理解できるように、リンギング信号の場合は、連続した周期信号であり、極性反転信号の場合は単発の信号であるので、連続信号か単発信号かを判断することでリンギング信号か極性反転信号かを判断することができる。
【００７３】
このような構成にすることで、図２に示すラインＡを設ける必要が無くなり、コストダウンが可能になる。
【００７４】
次に、本発明の第４の実施の形態を図を参照して説明する。なお、上述した実施の形態と同一構成に関しては同一符号を用いて説明を適宜省略する。
【００７５】
先の実施の形態においては、２次側回路３５で入力した信号が予め設定されたプラスの閾値Ｖｔ以上のレベルになったときに１パルスのＡ信号を出力し、入力した信号が予め設定されたマイナスの閾値Ｖｔ以下のレベルになったときに１パルスのＢ信号を出力するようにした。
【００７６】
このとき回線網の状態により２次側回路３５に入力する信号が歪んだり、減衰したりする場合が想定され、また回線網ノイズが多い場合が想定される。
【００７７】
例えば、信号が減衰して、その波高値が小さくなって設定された閾値Ｖｔを超えなくなると、Ａ信号やＢ信号が正常に生成できないためリンギング信号や極性反転が検出できなくなる。
【００７８】
そこで、本実施の形態においては、この閾値の値を変更できるようにして、信頼性を向上させたものである。
【００７９】
当該閾値の変更は、操作表示部１５から閾値変更コマンドを入力して行うようにし、ユーザや保守員が、回線網の状態等に応じて最適な閾値を設定する。これにより信頼性が向上する。
【００８０】
次に、本発明の第５の実施の形態を図を参照して説明する。なお、上述した実施の形態と同一構成に関しては同一符号を用いて説明を適宜省略する。
【００８１】
これまで説明した各実施の形態においては、ＤＳＰ３１とシステム制御部１１とをＤＳＰ側インターフェース３２により接続し、リング・極性反転検出回路３３とシステム制御部１１とをリング・極性反転検出回路側インターフェース３４により接続する構成であった。
【００８２】
これに対して、本実施の形態では図６に示すように、ＤＳＰ側インターフェース３２とリング・極性反転検出回路側インターフェース３４との機能を１のインターフェースにより具現できるようにしたものである。
【００８３】
即ち、ＤＳＰ側インターフェース３２は通常状態においてのみ用いられ、リング・極性反転検出回路側インターフェース３４は省エネ状態においてのみ用いられるが、共にシステム制御部１１とインターフェースをなすため回路的に類似している。
【００８４】
そこで、本発明では、図６に示すように、これらの機能を兼ね備えるモデム側インターフェース３６を設けると共に、信号切替器３７を設けている。
【００８５】
この信号切替器３７は、通常状態においてはＤＳＰ３１とシステム制御部１１とがデータの送受信が行えるように接続を切換え、省エネ時においてはリング・極性反転検出回路３３とシステム制御部１１とがデータの送受信が行えるように接続を切換える。
【００８６】
信号切替器３７の具体的構成としては、例えばリレースイッチにより形成することができ、この場合通常状態においては当該リレーがＯＦＦになって、ＤＳＰ３１とシステム制御部１１とを接続し、省エネ状態においては当該リレーがＯＮになって、リング・極性反転検出回路３３とシステム制御部１１とを接続するように制御する。
【００８７】
これにより、２台のインターフェースが１台で済むので、コストダウンを図ることが可能になる。
【００８８】
【発明の効果】
以上説明したように、本発明によれば、送受信するデータを変復調するＤＳＰ３１と、該ＤＳＰ３１と接続されて、回線網網の制御を行う２次側回路と、該２次側回路と接続されて、ＤＳＰ３１への電力供給が停止又は抑制されている際に、当該２次側回路からの信号に基づきリンギングや極性反転を検出して専用ラインを介して出力するリング・極性反転検出回路とによりモデム装置を構成したので、ＤＳＰ３１への電力供給が停止又は抑制されているときであってもリンギングや極性反転が検出できるようになり省エネ時の電力消費を効果的に削減することが可能になる。
【００８９】
また発明によれば、省エネ状態ではＤＳＰ３１への電力供給が停止又は抑制され、この間に２次側回路からの信号に基づきリンギングや極性反転を検出して専用ラインを介して出力するリング・極性反転検出回路を備えて、該リング・極性反転検出回路、ＤＳＰ３１及び２次側回路が同一半導体チップ上に形成したので、コストダウンが図られると共に、ＤＳＰ３１が省エネ状態でもリンギングや極性反転が検出できるようになり信頼性が向上する。
【図面の簡単な説明】
【図１】本発明の第１〜第３実施の形態の説明に適用される通信装置のブロック図である。
【図２】リング・極性反転検出回路のブロック図である。
【図３】リング・極性反転検出回路等におけるリンギング信号の波形を示す図である。
【図４】リング・極性反転検出回路等における極性反転信号の波形を示す図である。
【図５】リンギング信号の波形を示す図である。
【図６】本発明の第４の実施の形態の説明に適用される通信装置のブロック図である。
【符号の説明】
１１　システム制御部
１２　システムバス
１５　操作表示部
１８　時計部
２１　絶縁回路
２２　１次側回路
２３　ラインフィルタ用コンデンサ回路
２４　専用ライン
３１　ＤＳＰ
３２　ＤＳＰ側インターフェース
３３　リング・極性反転検出回路
３４　リング・極性反転検出回路側インターフェース
３５　２次側回路
３６　インターフェース
３７　信号切替器
４１　周期信号生成部
４２　周期検出部
４３　周期比較部
【図１】
2004112681.tif 000003
【図２】
2004112681.tif 000004
【図３】
2004112681.tif 000005
【図４】
2004112681.tif 000006
【図５】
2004112681.tif 000007
【図６】
2004112681.tif 000008